(57)【要約】【課題】隣り合う２つの空間の間の通気性を確保しつつ、より止水性を高めることができる建具を提供すること。【解決手段】閉じ状態の障子２０と縦枠１３との間には、縦枠１３に取り付けられる複数の固定部材４０と、障子２０に当接し、複数の固定部材４０に跨って取り付けられる当接部材５０とが設けられている。複数の固定部材４０間における、縦枠１３と当接部材５０との間には、浴室側および脱衣室側を連通する連通経路Ａが形成される。連通経路Ａは、脱衣室側の第１流路Ｘと、浴室側の第２流路Ｙとにより構成される。縦枠１３には、第１流路Ｘに入り込んだ水を排水する第１排水部６３と、第２流路Ｙに入り込んだ水を排水する第２排水部６４とを有するブロック材６０が設けられる。【選択図】図７
2006241690.tif 000002
【特許請求の範囲】
【請求項１】
上枠、下枠、および左右の縦枠を有する枠体と、前記枠体に対して開閉自在に取り付けられる障子とを備え、隣り合う第１の空間および第２の空間の間に取り付けられる建具であって、
閉じ状態の前記障子と前記縦枠との間には、前記枠体に取り付けられる複数の固定部材と、前記複数の固定部材に跨って取り付けられ、前記障子に直接または間接的に当接する当接部材とが設けられ、
前記複数の固定部材間における、前記枠体と前記当接部材との間には、前記第１および第２の空間を連通する連通経路が形成され、
前記連通経路は、前記第１の空間側の第１の流路と、前記第２の空間側の第２の流路とを含み、
前記第１および第２の流路のそれぞれに対応して、各流路に入り込んだ水をそれぞれ前記第１の空間側へ排水する第１および第２の排水部が設けられていることを特徴とする建具。
【請求項２】
前記第１の排水部と前記第２の排水部とは、互いに異なる高さ位置で排水できるように構成されていることを特徴とする請求項１に記載の建具。
【請求項３】
前記第１の排水部および前記第２の排水部は、ブロック材として一体的に構成されていることを特徴とする請求項１または２に記載の建具。
【請求項４】
前記ブロック材は、前記縦枠の下端部に取り付けられ、当該ブロック材の下端が前記下枠に直接または間接的に当接することを特徴とする請求項３に記載の建具。
【請求項５】
前記第１の流路および前記第２の流路は、前記縦枠側から突出するヒレ部と、前記当接部材側から突出するヒレ部とにより構成されていることを特徴とする請求項１〜４のいずれかに記載の建具。
【請求項６】
前記固定部材には、前記第１の流路または第２の流路を流れる水を外部へ排水する排水路が設けられていることを特徴とする請求項１〜５のいずれかに記載の建具。
【発明の詳細な説明】
【技術分野】
【０００１】
本発明は、建具に関し、特に、隣り合う２つの空間の間の通気性を確保しつつ、より一層高い止水性を確保できる建具に関する。
【背景技術】
【０００２】
従来、浴室と脱衣室との間の出入口には、浴室を換気するための換気機構を有する建具が取り付けられることがある。このような建具は、例えば、特許文献１に示すように、出入口に取り付けられる枠体と、この枠体に対して開閉自在に取り付けられる障子と、枠体の縦枠と一体的に形成されるとともに、障子の戸先部が当接する戸当り部とを備えている。そして、戸当り部には、浴室と脱衣室との間を連通する連通経路を構成する換気孔が形成されている。この換気孔により、浴室の換気を行うことができる。
【特許文献１】登録実用新案第２５６７４０１号公報
【発明の開示】
【発明が解決しようとする課題】
【０００３】
しかしながら、このような建具では、換気孔から戸当り部の内部に水が入り込んだ場合に、戸当り部と縦枠とが一体的に形成されていることから、戸当り部の内部が清掃しにくいという問題があった。このため、例えば、本願発明者らは、特願２００４−２２１５９４号において、縦枠に複数の固定部材を取り付け、これらの固定部材を跨るように着脱自在な当接部材を設置することにより、固定部材間における縦枠と当接部材との間に、内外を連通する連通経路を設けた建具を提案している。このような建具によれば、室内外の換気を可能としつつ、当接部材を着脱して縦枠を簡単に清掃できる利点がある。
【０００４】
しかしながら、連通経路の形状によっては、浴室側の水が脱衣室側へと漏れる可能性があるため、より止水性の高い建具が望まれている。特に、連通経路が屈曲している場合には、浴室側と脱衣室側とに縦枠の長手方向に沿って延びる複数の流路が形成されて、浴室側の流路には多量の水が流れ落ちることとなるため、この浴室側の流路を流れる水の水頭圧によって脱衣室側の流路を流れる水が浴室側へ排水されず流路内に溜まっていき、この溜まった水が脱衣室側へ漏れる可能性がある。このような要望は、浴室と脱衣室との間に設けられる建具に限定されず、室内外間に設けられる建具等の他の建具においても同様に生じている。
【０００５】
本発明の目的は、隣り合う２つの空間の間の換気経路を確保しつつ、より一層止水性の高い建具を提供することにある。
【課題を解決するための手段】
【０００６】
本発明は、上枠、下枠、および左右の縦枠を有する枠体と、前記枠体に対して開閉自在に取り付けられる障子とを備え、隣り合う第１の空間および第２の空間の間に取り付けられる建具であって、閉じ状態の前記障子と前記縦枠との間には、前記枠体に取り付けられる複数の固定部材と、前記複数の固定部材に跨って取り付けられ、前記障子に直接または間接的に当接する当接部材とが設けられ、前記複数の固定部材間における、前記枠体と前記当接部材との間には、前記第１および第２の空間を連通する連通経路が形成され、前記連通経路は、前記第１の空間側の第１の流路と、前記第２の空間側の第２の流路とを含み、前記第１および第２の流路のそれぞれに対応して、各流路に入り込んだ水をそれぞれ前記第１の空間側へ排水する第１および第２の排水部が設けられていることを特徴とする。  
【０００７】
本発明によれば、連通経路を構成する２つの流路に対応する専用の排水部をそれぞれ設けたので、第１の流路を流れる水と第２の流路を流れる水とが衝突しないように排水を整流できるため第２の空間側への漏水を確実に防止できる。従って、より一層高い止水性を確保できる。また、複数の固定部材を介して縦枠に当接部材を取り付けることにより、固定部材間における縦枠と当接部材との間に連通経路を形成したので、第１の空間と第２の空間との間で、縦枠に沿った方向の換気経路を確保できる。このため、障子の下部側にガラリを設けて換気を行う場合に比べて、障子のデザインのバリエーションを高めることができる上、例えば、浴室の場合には、浴室利用者の足下に冷気があたることを防止できる。
【０００８】
ここで、前記第１の排水部と前記第２の排水部とは、互いに異なる高さ位置で排水できるように構成されていてもよい。このような構成によれば、各流路に入り込んだ水を確実に２つに分てて排水できるため、水同士の衝突による漏水を防止できる。
【０００９】
以上において、前記第１の排水部および前記第２の排水部は、ブロック材として一体的に構成されていることとしてもよい。この際、前記ブロック材は、前記縦枠の下端部に取り付けられ、当該ブロック材の下端が前記下枠に直接または間接的に当接することが好ましい。このような構成によれば、例えば、第１の空間から水が溢れてきたとしても、ブロック材により第１の空間側へと跳ね返すことができ、より高い水密性を確保できる。
【００１０】
以上において、前記第１の流路および前記第２の流路は、前記縦枠側から突出するヒレ部と、前記当接部材側から突出するヒレ部とにより形成されていることとしてもよい。このような構成により、第１の流路および第２の流路を簡単に形成できる。
【００１１】
また、前記固定部材には、前記第１の流路または第２の流路を流れる水を外部へ排水する排水路が設けられていてもよい。このような構成によれば、固定部材の排水路により、第１の排水部および第２の排水部以外でも排水できるため、より一層排水経路が分散されるため、水の衝突による漏水をより一層確実に防止できる。
【発明の効果】
【００１２】
本発明の建具によれば、隣り合う２つの空間の間の通気性と、高い止水性とを確保できるという効果がある。
【発明を実施するための最良の形態】
【００１３】
以下、本発明の実施形態に係る建具について、図面を参照して説明する。
図１は、本実施形態に係る建具１を示す正面図である。図２は、建具１を示す横断面図である。図１，図２に示すように、建具１は、上枠１１、下枠１２、および左右の縦枠１３により四周枠組みされた枠体１０と、枠体１０に対して開閉自在に取り付けられる障子２０とを備えている。障子２０には、例えば２枚の扉２１，２２が折り畳み可能に連結された折戸が用いられる。建具１は、第１の空間としての浴室と、第２の空間としての脱衣室との間に設けられている。
【００１４】
図３は、下枠１２と縦枠１３との結合部分を示す分解斜視図である。図３に示すように、縦枠１３には、内側へ突出するヒレ部３０が形成されている。なお、本実施形態では、ヒレ部３０（３１〜３３）が３つ形成されている。これらのヒレ部３０には、上下に間隔をあけて配置される複数の固定部材４０と、ブロック材６０とが着脱自在に取り付けられている。また、縦枠１３には、複数の固定部材４０を介して当接部材５０が取り付けられている。なお、図３中では、１つの固定部材のみ記載している。
【００１５】
図４は、縦枠１３に当接部材５０が取り付けられた状態を示す横断面図である。なお、図４では、固定部材４０の図示を省略している。図４に示すように、当接部材５０は、障子２０の戸先側に当接するシール材２３を保持する保持部５１と、保持部５１から縦枠１３側へ突出する例えば２つのヒレ部５２とを備えている。固定部材４０（図３）を介して縦枠１３に当接部材５０を取り付けると、縦枠１３のヒレ部３０と、当接部材５０のヒレ部５２とにより、浴室側と脱衣室側とを繋ぐ屈曲した連通経路Ａが形成される。この連通経路Ａにより、浴室の換気を行うことができる。
【００１６】
このような連通経路Ａは、縦枠１３の長手方向に沿って延びる２つの第１流路Ｘと第２流路Ｙとを含んで構成されている。第１流路Ｘは、縦枠１３の最も浴室側のヒレ部３３と真ん中のヒレ部３２との間に設けられ、第２流路Ｙは、縦枠１３の真ん中のヒレ部３２と脱衣室側のヒレ部３１との間に設けられる。第１流路Ｘは、浴室側からの水が比較的頻繁に入り込む部分である。また、第２流路Ｙは、第１流路Ｘを越えるような強い水が掛かった場合に入り込む部分である。
【００１７】
図３に戻って、当接部材５０には、切欠部５０Ａが形成され、この切欠部５０Ａを固定部材４０に引っ掛けることにより、当接部材５０を固定部材４０に係合できる。固定部材４０は、縦枠１３における脱衣室側のヒレ部３１と真ん中のヒレ部３２とに跨るようにして取り付けられている。固定部材４０には、第１流路Ｘに流れ落ちてくる水を浴室側へと導く排水路４１が形成されている。なお、図示を省略するが、当接部材５０において、切欠部５０Ａより上側で２つのヒレ部５２の間には、水分を吸収する吸収材が取り付けられ、第１流路Ｘおよび第２流路Ｙを流れる水が飛散することを防止している。
【００１８】
ブロック材６０は、上方から流れ落ちてくる水を排出するとともに、浴室側からの溢れ水が脱衣室側へ漏れることを防止できるように、縦枠１３の最下部に取り付けられ、その下面が下枠１２に当接している。ここで、図５は、ブロック材６０を裏側から見た状態を示す斜視図である。図５に示すように、ブロック材６０は、縦枠１３に形成された脱衣室側のヒレ部３３に取り付けられる第１取付部６１と、真ん中のヒレ部３２に取り付けられる第２取付部６２とを備えている。第１取付部６１には、第１流路Ｘを流れ落ちてきた水を浴室側へ導くように突出する第１排水部６３が形成されている。第２取付部６２にも、第２流路Ｙを流れ落ちてきた水を浴室側へ導くように突出する第２排水部６４が形成されている。これらの排水部６３，６４は、互いに異なる高さ位置に形成され、連通経路Ａに入り込んだ水が第１排水部６３または第２排水部６４に分かれて、互いに異なる高さ位置から排水される。
【００１９】
これらの排水部６３，６４は、それぞれ略同様の断面三角形状に形成されている。また、図３に示すように、排水部６３，６４の内側側面には、閉じ状態の障子２０の戸先側に倣うようにそれぞれ凹部６３Ａ，６４Ａが形成されている。なお、図示を省略するが、凹部６３Ａ，６４Ａの表面には、シール材が取り付けられており、障子２０と排水部６３，６４との間の隙間からの漏水を防止している。
【００２０】
図６は、連通経路Ａに入り込んだ水の排水を説明するための図である。また、図７は、縦枠１３に、固定部材４０，当接部材５０，およびブロック材６０を取り付けた状態を示す斜視図である。図７に示すように、浴室側から連通経路Ａに水が掛かると、第１流路Ｘおよび第２流路Ｙを通って水が下方へと流れ落ちる。この水のうち、第１流路Ｘに入り込んだ水は、矢印Ｘ１に示すように、まず、固定部材４０に形成された排水路４１により浴室側へ排水される。さらに、排水路４１から流れ落ちてきた水や、固定部材４０よりも下側に降りかかった水などは、矢印Ｘ２に示すように、ブロック材６０の第１排水部６３により浴室側へ排水される。また、第１流路Ｘを越えて第２流路Ｙに入り込んだ水の一部は、矢印Ｙ１に示すように、縦枠１３の下側の位置でブロック材６０の第２排水部６４により浴室側へ排水される。つまり、連通経路Ａ内に入り込んだ水は、２つの排水経路を介して排水されることになる。この際、各流路Ｘ，Ｙに対応する排水部６３，６４をそれぞれ異なる高さ位置に設けて、異なるタイミングで排水する構成としたので、第１流路Ｘの水と第２流路Ｙの水とが衝突することがないから、脱衣室側への漏水を防止できる。
【００２１】
本実施形態によれば、以下のような効果がある。
(１)連通経路Ａに２つの排水経路となる排水部６３，６４を設け、さらにこれらの排水部６３，６４を異なる高さ位置に設けることにより異なるタイミングで排水する構成としたので、第１流路Ｘの水と第２流路Ｙの水とが衝突することがないから、脱衣室側への漏水を防止できる。このため、高い止水性を確保できる。
【００２２】
(２)ブロック材６０を縦枠１３の最下端に設置して、その下面が下枠１２に当接するようにしたので、浴室からの溢れ水を浴室へと戻すことができ、脱衣室側への漏水を防止できる。
【００２３】
(３)排水部６３，６４には、障子２０の戸先側に沿うような凹部６３Ａ，６４Ａを形成したので、障子２０とブロック材６０との間の隙間から水が漏れることを防止できる。
【００２４】
(４)排水部６３と排水部６４とを一体的に構成したので、ブロック材６０の取り付けが容易である。
【００２５】
(５)障子２０の戸先側に当接する当接部材５０を縦枠１３に対して着脱自在に取り付ける構成としたので、縦枠１３の清掃性やメンテナンス性を向上できる。
【００２６】
(６)複数の固定部材４０を介して、縦枠１３に当接部材５０を取り付ける構成としたので、固定部材４０間における縦枠１３と当接部材５０との間に連通経路Ａが形成される。このため、縦枠１３に沿った方向での浴室換気を行うことができる。このため、従来のように、障子の下部側にガラリを設けて換気を行う場合に比べて、障子２０のデザインのバリエーションを高めることができるとともに、浴室利用者の足下に冷気があたることを防止できる。
【００２７】
なお、本発明は、前記実施形態には限定されない。例えば、縦枠１３のヒレ部と当接部材のヒレ部とは前記形状および数量に限定されない。図８は、本発明の変形例に係る建具を示す横断面図であり、(Ａ)は、縦枠１３のヒレ部３０が２つで、当接部材５０のヒレ部５２が１つの場合であり、(Ｂ)は、縦枠のヒレ部３０が１つで、当接部材５０のヒレ部５２が２つの場合である。図８に示すように、連通経路Ａにおいて、縦枠の長手方向に沿って延びる流路が少なくとも２つ形成されれば、前記ヒレ部３０，５２の数や形状は特に限定されない。
【００２８】
また、前記実施形態では、第１排水部６３および第２排水部６４の形状をいずれも断面三角形状としたが、図９(Ａ)に示すように、第１排水部６３の形状のみを断面三角形状とし、第２排水部６４を特に突出させずに直線状に形成してもよい。このような構成においても、第１流路Ｘを流れ落ちる水が第２流路Ｙの水とは異なる方向へ導かれて、第１流路Ｘの水と第２流路Ｙの水とが衝突しないため、第２流路Ｙから脱衣室側への漏水を防止できる。また、図９(Ｂ)に示すように、図９(Ａ)における第１排水部６３を断面三角形状とせずに、下端部を浴室側へ曲折した形状としてもよい。要するに、排水部６３，６４の形状は限定されないということである。さらに、第１排水部６３と第２排水部６４とを一体的に形成したが、図９(Ｃ)に示すように別体としてもよい。また、ブロック材６０を縦枠１３の最下端に配置したが取り付け位置は特に限定されない。
【００２９】
前記実施形態では、障子２０を折戸としたが、これに限らず、開き戸や引き戸であってもよい。また、建具１を浴室側と脱衣室側との間に設けたが、これに限らず、例えば、シャワー室やプールと脱衣室の間や、トイレの入口部分、屋内外間等に設けてもよい。屋内外間に設けた場合には、屋内外の通気性を確保しつつ、屋外の雨水等が屋内に侵入することを防止できる。
【図面の簡単な説明】
【００３０】
【図１】本発明の実施形態に係る建具を示す正面図である。
【図２】建具を示す横断面図である。
【図３】下枠と縦枠との結合部分を示す分解斜視図である。
【図４】縦枠に対して当接部材が取り付けられた状態を示す横断面図である。
【図５】ブロック材を裏側から見た状態を示す斜視図である。
【図６】連通経路に入り込んだ水の排水を説明するための図である。
【図７】縦枠に、固定部材，当接部材，およびブロック材を取り付けた状態を示す斜視図である。
【図８】本発明の変形例に係る建具を示す横断面図であり、(Ａ)は当接部材のヒレ部が１つの場合であり、(Ｂ)は縦枠のヒレ部が１つの場合である。
【図９】本発明の変形例に係る建具において、ブロック材の各形状を模式的に示す図であり、(Ａ)は第２排水部が直線状である場合を示し、(Ｂ)は第１排水部が曲折形状である場合を示し、(Ｃ)は第１排水部と第２排水部とが別体である場合を示している。
【符号の説明】
【００３１】
１      建具
１０      枠体
１１      上枠
１２      下枠
１３      縦枠
２０      障子
３０（３１〜３３）      ヒレ部
４０      固定部材
４１      排水路
５０      当接部材
５２      ヒレ部
６０      ブロック材
６３      第１排水部
６３Ａ，６４Ａ      凹部
６４      第２排水部
Ａ      連通経路
Ｘ      第１流路
Ｙ      第２流路
【図１】
2006241690.tif 000003
【図２】
2006241690.tif 000004
【図３】
2006241690.tif 000005
【図４】
2006241690.tif 000006
【図５】
2006241690.tif 000007
【図６】
2006241690.tif 000008
【図７】
2006241690.tif 000009
【図８】
2006241690.tif 000010
【図９】
2006241690.tif 000011